(57)【要約】  ニュートラルホスト（ＮＨ）ネットワークと１つまたは複数の仮想無線アクセスネットワーク（ｖＲＡＮ）との間で両者間のサービスレベル合意（ＳＬＡ）の下で接続を確立するための方法が提供される。この方法は、１つまたは複数のｖＲＡＮに、ＮＨネットワークの識別子および少なくとも第１の無線パラメータを含むメッセージを送ることと、メッセージに応答して、１つまたは複数のｖＲＡＮの識別子および少なくとも第２の無線パラメータを受信することと、１つまたは複数のｖＲＡＮの識別子と、ＮＨネットワークの識別子と、少なくとも第１の無線パラメータおよび少なくとも第２の無線パラメータのうち１つとに基づいて、ＮＨネットワークと１つまたは複数のｖＲＡＮとの間に接続を確立することとを含む。この方法は、ｇＮＢの分散型ユニットなどのネットワークノードにおいて実施される。【選択図】図６
2020522949.tif 000002
【特許請求の範囲】
【請求項１】
ニュートラルホスト（ＮＨ）ネットワークと１つまたは複数の仮想無線アクセスネットワーク（ｖＲＡＮ）との間で両者間のサービスレベル合意（ＳＬＡ）の下で接続を確立するための方法であって、
前記１つまたは複数のｖＲＡＮに、前記ＮＨネットワークの識別子および少なくとも第１の無線パラメータを含むメッセージを送ることと、
前記メッセージに応答して、前記１つまたは複数のｖＲＡＮの識別子および少なくとも第２の無線パラメータを受信することと、
前記１つまたは複数のｖＲＡＮの前記識別子と、前記ＮＨネットワークの前記識別子と、前記少なくとも第１の無線パラメータおよび前記少なくとも第２の無線パラメータのうち１つとに基づいて、前記ＮＨネットワークと前記１つまたは複数のｖＲＡＮとの間の前記接続を確立することとを含む方法。
【請求項２】
前記少なくとも第１のパラメータが前記ＮＨネットワークの無線能力を含む、請求項１に記載の方法。
【請求項３】
前記少なくとも第２のパラメータが前記１つまたは複数のｖＲＡＮの無線能力を含む、請求項１または２に記載の方法。
【請求項４】
前記１つまたは複数のｖＲＡＮの前記無線能力が、
１つまたは複数のキャリア周波数、
キャリア帯域幅、
幾つかのアンテナポート、
複数のチャネル番号、
ブロック誤り率（ＢＬＥＲ）ターゲット、
物理セルの識別子（ＰＣＩ）、および
ランダムアクセスチャネル（ＲＡＣＨ）プリアンブルのうち１つまたは複数を含む、請求項３に記載の方法。
【請求項５】
前記ＮＨネットワークの前記無線能力が、
キャリア周波数範囲、
キャリア帯域幅、
幾つかのキャリア、
占有周波数帯域幅（ＯＢＷ）、
無線リンク制御（ＲＬＣ）モード、
瞬時帯域幅（ＩＢＷ）、および
最大出力電力（ＯＰ）のうち１つまたは複数を含む、請求項２に記載の方法。
【請求項６】
前記メッセージが、
検知されたセルのリスト、
サポートされるチャネルのリスト、
共有されるスペクトルに対するチャネル負荷、
チャネル状態の統計量のリスト、
ノイズフロア（ＮＦ）の測定値、
エネルギー検知（ＥＤ）レベル、および
受信された信号強度インジケータ（ＲＳＳＩ）のヒストグラムのうち１つまたは複数をさらに含む、請求項１から５のいずれか一項に記載の方法。
【請求項７】
最大の送信機会（ＴＸＯＰ）、
送信電力、
ダウンリンク参照信号（ＤＲＳ）設定、および
パケットデータ収束プロトコル（ＰＤＣＰ）のフロー識別子マップのうち１つまたは複数を受信することをさらに含む、請求項１から６のいずれか一項に記載の方法。
【請求項８】
前記送信および受信が、前記ＮＨネットワークと前記１つまたは複数のｖＲＡＮとの間でＦ１インターフェースを通じて実施される、請求項１から７のいずれか一項に記載の方法。
【請求項９】
前記少なくとも第１の無線パラメータは前記ＮＨネットワークが使おうとしているキャリア周波数であり、前記少なくとも第２の無線パラメータを受信することが、前記キャリア周波数を受信することを含む、請求項１に記載の方法。
【請求項１０】
前記少なくとも第１の無線パラメータは前記ＮＨネットワークが使おうとしている物理セルの識別子（ＰＣＩ）であり、前記少なくとも第２の無線パラメータを受信することが前記ＰＣＩを受信することを含む、請求項１に記載の方法。
【請求項１１】
前記１つまたは複数のｖＲＡＮに前記メッセージを送ることが、前記少なくとも第１のパラメータの要求を含み、前記少なくとも第２の無線パラメータを受信することが、前記少なくとも第１のパラメータの前記要求に応答して行われる、請求項１に記載の方法。
【請求項１２】
プロセッサおよびメモリを備えた処理回路を備えるネットワークノードであって、前記メモリが、前記プロセッサによって実行可能な命令を含むことにより、前記ネットワークノードが、
前記１つまたは複数のｖＲＡＮに、前記ＮＨネットワークの識別子および少なくとも第１の無線パラメータを含むメッセージを送り、
前記メッセージに応答して、前記１つまたは複数のｖＲＡＮの識別子および少なくとも第２の無線パラメータを受信して、
前記１つまたは複数のｖＲＡＮの前記識別子と、前記ＮＨネットワークの前記識別子と、前記少なくとも第１の無線パラメータおよび前記少なくとも第２の無線パラメータのうち１つとに基づいて、前記ＮＨネットワークと前記１つまたは複数のｖＲＡＮとの間の前記接続を確立するように動作可能であるネットワークノード。
【請求項１３】
前記少なくとも第１のパラメータが前記ＮＨネットワークの無線能力を含む、請求項１２に記載のネットワークノード。
【請求項１４】
前記少なくとも第２のパラメータが前記１つまたは複数のｖＲＡＮの無線能力を含む、請求項１２または１３に記載のネットワークノード。
【請求項１５】
前記１つまたは複数のｖＲＡＮの前記無線能力が、
１つまたは複数のキャリア周波数、
キャリア帯域幅、
幾つかのアンテナポート、
複数のチャネル番号、
ブロック誤り率（ＢＬＥＲ）ターゲット、
物理セルの識別子（ＰＣＩ）、および
ランダムアクセスチャネル（ＲＡＣＨ）プリアンブルのうち１つまたは複数を含む、請求項１４に記載のネットワークノード。
【請求項１６】
前記ＮＨネットワークの前記無線能力が、
キャリア周波数範囲、
キャリア帯域幅、
幾つかのキャリア、
占有周波数帯域幅（ＯＢＷ）、
無線リンク制御（ＲＬＣ）モード、
瞬時帯域幅（ＩＢＷ）、および
最大出力電力（ＯＰ）のうち１つまたは複数を含む、請求項１３に記載のネットワークノード。
【請求項１７】
前記メッセージが、
検知されたセルのリスト、
サポートされるチャネルのリスト、
共有されるスペクトルに対するチャネル負荷、
チャネル状態の統計量のリスト、
ノイズフロア（ＮＦ）の測定値、
エネルギー検知（ＥＤ）レベル、および
受信された信号強度インジケータ（ＲＳＳＩ）のヒストグラムのうち１つまたは複数をさらに含む、請求項１２から１６のいずれか一項に記載のネットワークノード。
【請求項１８】
前記プロセッサが、
最大の送信機会（ＴＸＯＰ）、
送信電力、
ダウンリンク参照信号（ＤＲＳ）設定、および
パケットデータ収束プロトコル（ＰＤＣＰ）のフロー識別子マップのうち１つまたは複数を受信するように設定されている、請求項１２から１７のいずれか一項に記載のネットワークノード。
【請求項１９】
前記プロセッサが、前記ＮＨネットワークと前記１つまたは複数のｖＲＡＮとの間でＦ１インターフェースを通じて送信及び受信するように設定されている、請求項１２から１８のいずれか一項に記載のネットワークノード。
【請求項２０】
前記少なくとも第１の無線パラメータは前記ＮＨネットワークが使おうとしているキャリア周波数であり、前記プロセッサが前記キャリア周波数を受信するように設定されている、請求項１２に記載のネットワークノード。
【請求項２１】
前記少なくとも第１の無線パラメータは前記ＮＨネットワークが使おうとしている物理セルの識別子（ＰＣＩ）であり、前記プロセッサが前記ＰＣＩを受信するように設定されている、請求項１２に記載のネットワークノード。
【請求項２２】
媒体の中に具現されたコンピュータ可読プログラムコードを有する非一時的コンピュータ可読記憶媒体を備えるコンピュータプログラム製品であって、前記コンピュータ可読プログラムコードが、
前記１つまたは複数のｖＲＡＮに、前記ＮＨネットワークの識別子および少なくとも第１の無線パラメータを含むメッセージを送り、
前記メッセージに応答して、前記１つまたは複数のｖＲＡＮの識別子および少なくとも第２の無線パラメータを受信して、
前記１つまたは複数のｖＲＡＮの前記識別子と、前記ＮＨネットワークの前記識別子と、前記少なくとも第１の無線パラメータおよび前記少なくとも第２の無線パラメータのうち１つとに基づいて、前記ＮＨネットワークと前記１つまたは複数のｖＲＡＮとの間の前記接続を確立するためのコンピュータ可読コードを含む、コンピュータプログラム製品。
【請求項２３】
前記コンピュータ可読プログラムコードが、請求項１から１１のいずれか一項に記載の方法に従って動作するためのコンピュータ可読プログラムコードをさらに含む、請求項２２に記載のコンピュータプログラム製品。
【請求項２４】
ネットワークノード向けの実行可能命令を記憶するように設定された非一時的コンピュータ可読メモリであって、前記実行可能命令が、１つまたは複数のプロセッサによって実行されたとき、前記ネットワークノードに請求項１から１１のいずれか一項を実施させる、非一時的コンピュータ可読メモリ。
【請求項２５】
ニュートラルホスト（ＮＨ）ネットワークと１つまたは複数の仮想無線アクセスネットワーク（ｖＲＡＮ）との間で両者間のサービスレベル合意（ＳＬＡ）の下で接続を確立するための方法であって、
前記ＮＨネットワークから、前記ＮＨネットワークの識別子および少なくとも第１の無線パラメータを含むメッセージを受信することと、
前記メッセージに応答して、前記１つまたは複数のｖＲＡＮの識別子および少なくとも第２の無線パラメータを送ることと、
前記ＮＨネットワークの前記識別子と、前記１つまたは複数のｖＲＡＮの前記識別子と、前記少なくとも第１の無線パラメータおよび第２の無線パラメータのうち１つとに基づいて、前記ＮＨネットワークと前記１つまたは複数のｖＲＡＮとの間に前記接続を確立することとを含む方法。
【請求項２６】
前記少なくとも第１のパラメータが前記ＮＨネットワークの無線能力を含む、請求項２５に記載の方法。
【請求項２７】
前記少なくとも第２のパラメータが前記１つまたは複数のｖＲＡＮの無線能力を含む、請求項２５または２６に記載の方法。
【請求項２８】
前記１つまたは複数のｖＲＡＮの前記無線能力が、
１つまたは複数のキャリア周波数、
キャリア帯域幅、
幾つかのアンテナポート、
複数のチャネル番号、
ブロック誤り率（ＢＬＥＲ）ターゲット、
物理セルの識別子（ＰＣＩ）、および
ランダムアクセスチャネル（ＲＡＣＨ）プリアンブルのうち１つまたは複数を含む、請求項２７に記載の方法。
【請求項２９】
前記ＮＨネットワークの前記無線能力が、
キャリア周波数範囲、
キャリア帯域幅、
幾つかのキャリア、
占有周波数帯域幅（ＯＢＷ）、
無線リンク制御（ＲＬＣ）モード、
瞬時帯域幅（ＩＢＷ）、および
最大出力電力（ＯＰ）のうち１つまたは複数を含む、請求項２６に記載の方法。
【請求項３０】
前記メッセージが、
検知されたセルのリスト、
サポートされるチャネルのリスト、
共有されるスペクトルに対するチャネル負荷、
チャネル状態の統計量のリスト、
ノイズフロア（ＮＦ）の測定値、
エネルギー検知（ＥＤ）レベル、および
受信された信号強度インジケータ（ＲＳＳＩ）のヒストグラムのうち１つまたは複数をさらに含む、請求項２５から２９のいずれか一項に記載の方法。
【請求項３１】
最大の送信機会（ＴＸＯＰ）、
送信電力、
ダウンリンク参照信号（ＤＲＳ）設定、および
パケットデータ収束プロトコル（ＰＤＣＰ）のフロー識別子マップのうち１つまたは複数を送ることをさらに含む、請求項２５から３０のいずれか一項に記載の方法。
【請求項３２】
前記送信および受信が、前記ＮＨネットワークと前記１つまたは複数のｖＲＡＮとの間でＦ１インターフェースを通じて実施される、請求項２５から３１のいずれか一項に記載の方法。
【請求項３３】
前記少なくとも第１の無線パラメータは前記ＮＨネットワークが使おうとしているキャリア周波数であり、前記少なくとも第２の無線パラメータを送ることが、前記ＮＨネットワークが使おうとしている前記キャリア周波数を送ることを含む、請求項２５に記載の方法。
【請求項３４】
前記少なくとも第１の無線パラメータは前記ＮＨネットワークが使おうとしている第１の物理セルの識別子（ＰＣＩ）であり、前記少なくとも第２の無線パラメータを送ることが、前記ＮＨネットワークに前記第１のＰＣＩを送ることを含む、請求項２５に記載の方法。
【請求項３５】
前記受信されるメッセージが前記少なくとも第１のパラメータの要求を含み、前記少なくとも第２の無線パラメータが、前記少なくとも第１のパラメータの前記要求に応答して送られる、請求項２５に記載の方法。
【請求項３６】
プロセッサおよびメモリを備えた処理回路を備えるネットワークノードであって、前記メモリが、前記プロセッサによって実行可能な命令を含むことにより、前記ネットワークノードが、
前記ＮＨネットワークから、前記ＮＨネットワークの識別子および少なくとも第１の無線パラメータを含むメッセージを受信し、
前記メッセージに応答して、前記１つまたは複数のｖＲＡＮの識別子および少なくとも第２の無線パラメータを送って、
前記ＮＨネットワークの前記識別子と、前記１つまたは複数のｖＲＡＮの前記識別子と、前記少なくとも第１の無線パラメータおよび第２の無線パラメータのうち１つとに基づいて、前記ＮＨネットワークと前記１つまたは複数のｖＲＡＮとの間に前記接続を確立するように動作可能であるネットワークノード。
【請求項３７】
前記少なくとも第１のパラメータが前記ＮＨネットワークの無線能力を含む、請求項３６に記載のネットワークノード。
【請求項３８】
前記少なくとも第２のパラメータが前記１つまたは複数のｖＲＡＮの無線能力を含む、請求項３６または３７に記載のネットワークノード。
【請求項３９】
前記１つまたは複数のｖＲＡＮの前記無線能力が、
１つまたは複数のキャリア周波数、
キャリア帯域幅、
幾つかのアンテナポート、
複数のチャネル番号、
ブロック誤り率（ＢＬＥＲ）ターゲット、
物理セルの識別子（ＰＣＩ）、および
ランダムアクセスチャネル（ＲＡＣＨ）プリアンブルのうち１つを含む、請求項３８に記載のネットワークノード。
【請求項４０】
前記ＮＨネットワークの前記無線能力が、
キャリア周波数範囲、
キャリア帯域幅、
幾つかのキャリア、
占有周波数帯域幅（ＯＢＷ）、
無線リンク制御（ＲＬＣ）モード、
瞬時帯域幅（ＩＢＷ）、および
最大出力電力（ＯＰ）のうち１つまたは複数を含む、請求項３７に記載のネットワークノード。
【請求項４１】
前記メッセージが、
検知されたセルのリスト、
サポートされるチャネルのリスト、
共有されるスペクトルに対するチャネル負荷、
チャネル状態の統計量のリスト、
ノイズフロア（ＮＦ）の測定値、
エネルギー検知（ＥＤ）レベル、および
受信された信号強度インジケータ（ＲＳＳＩ）のヒストグラムのうち１つまたは複数をさらに含む、請求項３６から４０のいずれか一項に記載のネットワークノード。
【請求項４２】
前記プロセッサが、
最大の送信機会（ＴＸＯＰ）、
送信電力、
ダウンリンク参照信号（ＤＲＳ）設定、および
パケットデータ収束プロトコル（ＰＤＣＰ）のフロー識別子マップのうち１つまたは複数をさらに送るように設定されている、請求項３６から４１のいずれか一項に記載のネットワークノード。
【請求項４３】
前記プロセッサが、前記ＮＨネットワークと前記１つまたは複数のｖＲＡＮとの間でＦ１インターフェースを通じて送信及び受信するように設定されている、請求項３６から４２のいずれか一項に記載のネットワークノード。
【請求項４４】
前記少なくとも第１の無線パラメータは前記ＮＨネットワークが使おうとしているキャリア周波数であり、前記プロセッサが、前記ＮＨネットワークが使おうとしている前記キャリア周波数を送るように設定されている、請求項３６に記載のネットワークノード。
【請求項４５】
前記少なくとも第１の無線パラメータは前記ＮＨネットワークが使おうとしている第１の物理セルの識別子（ＰＣＩ）であり、前記プロセッサが、前記ＮＨネットワークに前記第１のＰＣＩを送るように設定されている、請求項３６に記載のネットワークノード。
【請求項４６】
媒体の中に具現されたコンピュータ可読プログラムコードを有する非一時的コンピュータ可読記憶媒体を備えるコンピュータプログラム製品であって、前記コンピュータ可読プログラムコードが、
前記ＮＨネットワークから、前記ＮＨネットワークの識別子および少なくとも第１の無線パラメータを含むメッセージを受信し、
前記メッセージに応答して、前記１つまたは複数のｖＲＡＮの識別子および少なくとも第２の無線パラメータを送って、
前記ＮＨネットワークの前記識別子と、前記１つまたは複数のｖＲＡＮの前記識別子と、前記少なくとも第１の無線パラメータおよび第２の無線パラメータのうち１つとに基づいて、前記ＮＨネットワークと前記１つまたは複数のｖＲＡＮとの間に前記接続を確立するためのコンピュータ可読コードを含む、コンピュータプログラム製品。
【請求項４７】
前記コンピュータ可読プログラムコードが、請求項２５から３５のいずれか一項に記載の方法に従って動作するためのコンピュータ可読プログラムコードをさらに含む、請求項４６に記載のコンピュータプログラム製品。
【請求項４８】
ネットワークノード向けの実行可能命令を記憶するように設定された非一時的コンピュータ可読メモリであって、前記実行可能命令が、１つまたは複数のプロセッサによって実行されたとき、前記ネットワークノードに請求項２５から３５のいずれか一項を実施させる、非一時的コンピュータ可読メモリ。
【発明の詳細な説明】
【技術分野】
【０００１】
関連出願
本出願は、内容が参照によって本明細書に組み込まれている、２０１７年６月６日に米国特許商標局に出願された「Ｎｅｕｔｒａｌ  Ｈｏｓｔ  ｓｕｐｐｏｒｔ  ｉｎ  ｖＲＡＮ」という名称の米国仮特許出願第６２／５１５８３８号の優先権の利益を主張する。
【０００２】
本説明は、一般に無線通信ネットワークに関し、より詳細には仮想無線アクセスネットワーク（ｖＲＡＮ）に関する。
【背景技術】
【０００３】
小さいセルを配備するときのネットワークオペレータに関するかなりのコストは、サイトアクセスおよびサイトインターネット接続のコストである。調査によって、多くの小さいセルを配備するうえでの主要な障壁はこれらのコストであることが示されている。解決策の１つには、それらのコストを複数のネットワークオペレータの間で分担することがある。これは分散型アンテナシステム（ＤＡＳ）の手法である。しかしながら、非ＤＡＳシステムにとって、多くの小さいセルの配備をサポートする方法は今のところ複雑であって割高である。多くのネットワークとサービスプロバイダの間で無線アクセスネットワーク（ＲＡＮ）インフラストラクチュアのコスト効率の良い分担を可能にする解決策は、非常に望ましい。
【０００４】
仮想無線アクセスネットワーク（ｖＲＡＮ）は、Ｌｏｎｇ−Ｔｅｒｍ  Ｅｖｏｌｕｔｉｏｎ（ＬＴＥ）プロトコルスタックの機能的分離および物理的分離を可能にするＬＴＥのためのネットワークアーキテクチャである。そのため、搬送機能と制御機能は、ｅＮｏｄｅＢまたは基地局の内部で２つの別個の物理エンティティに分離される。たとえば、ｖＲＡＮは、米国特許第９，１３１，５２６Ｂ２号において導入され、説明されている。
【０００５】
３ＧＰＰおよび第５世代（５Ｇ）新無線（ＮＲ）向けに、類似のプロトコルスタック分割が定義されている。これはマルチファイアネットワークにも適用可能である。無線制御機能（ＲＣＦ）エンティティとベースバンド処理機能（ＢＰＦ）エンティティの間のインターフェースである新規のインターフェースが定義されている。このインターフェースは３ＧＰＰによってリリース１５（Ｒｅｌ．  １５）で規格化されており、「Ｆ１」インターフェースと称される。注釈として、３ＧＰＰは、Ｆ１インターフェースが４Ｇ  ＬＴＥばかりでなく５Ｇ  ＮＲにも使用され得るものと今のところ裁定している。
【０００６】
定義されたインターフェースを用いて上部ＬＴＥと下部ＬＴＥまたは５ＮＲプロトコルスタックを分離すると、無線アクセスポイント（たとえばＢＰＦ、無線ユニット）およびｖＲＡＮ機能（たとえばパケット処理機能（ＰＰＦ）、ＲＣＦ）の所有権、運営領域と管理領域の分離が可能になる。これは、１つのエンティティが、ＢＰＦ、または無線ユニット機器およびリソースを提供し、かつ管理し得ることを意味し、これらのｖＲＡＮのＲＣＦ機能とＰＰＦ機能を結合することにより、多くの様々なサービスプロバイダ（たとえばモバイルネットワークオペレータ（ＭＮＯ））によって使用され得る。これは「ニュートラルホスト」（ＮＨ）と名付けられている。
【０００７】
ニュートラルホスト（ＮＨ）プロバイダは、ＲＡＮを計画し、設置し、かつ経営するエンティティであるが、独自の加入者を持たず、（通常）独自の無線スペクトルライセンスを持たない。代わりに、ＮＨプロバイダは、他の無線サービスプロバイダにネットワーク能力をリースする。たとえば、スポーツ競技場のニュートラルホストプロバイダは、それ自体のネットワークを、既存のＭＮＯ（たとえばＲｏｇｅｒｓ（商標））もしくはＢｏｉｎｇｏ（商標）などの１つまたは複数の無線サービスプロバイダ、またはＧｏｏｇｌｅ（商標）などの非伝統的なＭＮＯにもリースすることができる。
【発明の概要】
【０００８】
少なくとも以下の課題が予見され得る。
【０００９】
−  今のところ、ｖＲＡＮはＮＨネットワークまたはマルチオペレータネットワークをサポートしない。
【００１０】
−  今のところ、Ｆ１インターフェースを通じてのＮＨまたはマルチオペレータの情報交換に関する仕様がない。
【００１１】
マルチファイアネットワークにも同じ問題が当てはまる。
【００１２】
本開示の一定の態様およびそれらの実施形態は、これらの問題または他の問題に対する解決策を提供し得る。
【００１３】
本開示の実施形態は、ｖＲＡＮを伴うＮＨネットワークをサポートすることを可能にする。
【００１４】
第１の態様によれば、ニュートラルホスト（ＮＨ）ネットワークと１つまたは複数の仮想無線アクセスネットワーク（ｖＲＡＮ）との間で両者間のサービスレベル合意（ＳＬＡ）の下で接続を確立するための方法が提供される。この方法は、１つまたは複数のｖＲＡＮに、ＮＨネットワークの識別子および少なくとも第１の無線パラメータを含むメッセージを送ることと、メッセージに応答して、１つまたは複数のｖＲＡＮの識別子および少なくとも第２の無線パラメータを受信することと、１つまたは複数のｖＲＡＮの識別子と、ＮＨネットワークの識別子と、少なくとも第１の無線パラメータおよび少なくとも第２の無線パラメータのうち１つとに基づいて、ＮＨネットワークと１つまたは複数のｖＲＡＮとの間に接続を確立することとを含む。
【００１５】
いくつかの実施形態では、少なくとも第１のパラメータはＮＨネットワークの無線能力を含み、少なくとも第２のパラメータは１つまたは複数のｖＲＡＮの無線能力を含む。
【００１６】
いくつかの実施形態では、１つまたは複数のｖＲＡＮの無線能力は、１つまたは複数のキャリア周波数、キャリア帯域幅、幾つかのアンテナポート、複数のチャネル番号、ブロック誤り率（ＢＬＥＲ）ターゲット、物理セルの識別子（ＰＣＩ）、およびランダムアクセスチャネル（ＲＡＣＨ）プリアンブルのうち１つまたは複数を含む。
【００１７】
いくつかの実施形態では、ＮＨネットワークの無線能力は、キャリア周波数範囲、キャリア帯域幅、幾つかのキャリア、占有周波数帯域幅（ＯＢＷ）、無線リンク制御（ＲＬＣ）モード、瞬時帯域幅（ＩＢＷ）、および最大出力電力（ＯＰ）のうち１つまたは複数を含む。
【００１８】
第２の態様によれば、いくつかの実施形態は、１つまたは複数のｖＲＡＮに、ＮＨネットワークの識別子および少なくとも第１の無線パラメータを含むメッセージを送ること、メッセージに応答して、１つまたは複数のｖＲＡＮの識別子および少なくとも第２の無線パラメータを受信すること、ならびに１つまたは複数のｖＲＡＮの識別子と、ＮＨネットワークの識別子と、本明細書に記載の少なくとも第１の無線パラメータおよび少なくとも第２の無線パラメータのうち１つとに基づいて、ＮＨネットワークと１つまたは複数のｖＲＡＮとの間に接続を確立することなど、ネットワークノードの１つまたは複数の機能（たとえばアクション、動作、ステップなど）を実施するように設定された、または動作可能な、ネットワークノードを含む。
【００１９】
いくつかの実施形態では、ネットワークノードが備え得る処理回路は、本明細書に記載の１つまたは複数の機能を実施するように設定されて、通信インターフェースに対して動作可能に接続されている。いくつかの実施形態では、処理回路は、少なくとも１つのプロセッサと、命令を記憶する少なくとも１つのメモリとを備えてよく、少なくとも１つのプロセッサは、命令を実行することにより、本明細書に記載の１つまたは複数の機能を実施するように設定される。
【００２０】
いくつかの実施形態では、ネットワークノードは、本明細書に記載の１つまたは複数の機能を実施するように設定された１つまたは複数の機能モジュールを備え得る。
【００２１】
別の態様によれば、いくつかの実施形態は、命令を含むコンピュータプログラム製品を記憶している非一時的コンピュータ可読媒体を含み、ネットワークノードの処理回路（たとえば少なくとも１つのプロセッサ）は、命令を実行することにより、本明細書に記載の１つまたは複数の機能を実施するように設定される。
【００２２】
いくつかの実施形態は、以下のことを含む１つまたは複数の技術的な利点を可能にし得、または提供し得る。
−  インターフェースＦ１を通じての制御プレーンおよびユーザプレーンのシグナリングにＮＨおよびマルチオペレータ（ＭＯ）の情報が含まれることが可能になる。たとえば、制御プレーンでは、ＮＨおよびＭＯの情報は、ｃＲＢＵとＲＣＦの間およびＲＣＦとＰＰＦの間で共有され、ユーザプレーンでは、ＮＨおよびＭＯの情報はｃＲＢＵとＰＰＦの間で共有される。
−  （異なる物理フォーマットであり得る）同一の情報の共有が、マルチファイア、４Ｇ  ＬＴＥおよび５Ｇ  ＮＲのネットワークに対して適用可能である。
−  この解決策は、認可された共有スペクトルと無認可の共有スペクトルの両方に適合する。
【００２３】
本明細書で開示された任意の実施形態の任意の機能が、適切ならどこでも任意の他の実施形態に適用され得ることに留意されたい。同様に、任意の実施形態の任意の利点が他の実施形態に当てはまり得、逆も同様である。上記の利点をいくつか有する、または有しない、一定の実施形態があり得る。他の利点は当業者には明白であろう。同封の実施形態の他の目的、機能および利点が以下の説明から明白になるはずである。
【００２４】
一般に、本明細書で使用されるすべての用語は、本明細書で明示的に別様に規定されなければ、当技術分野における通常の意味に従って解釈されるべきである。「１つの（ａ）／１つの（ａｎ）／その（ｔｈｅ）要素、装置、構成要素、手段、ステップなど」に対するすべての参照は、別様に明白に明示されなければ、要素、装置、構成要素、手段、ステップなどのうち少なくとも１つの例を参照するように、オープンに解釈されるべきである。本明細書で開示されたいかなる方法のステップも、明白に明示されなければ、開示された順番通り正確に実施する必要はない。
【００２５】
この、発明の概要は、すべての企図された実施形態の広汎な概略ではなく、中心的な態様もしくは重要な態様またはいずれかの実施形態もしくはすべての実施形態の機能を識別すること、あるいはいずれかの実施形態もしくはすべての実施形態の範囲を輪郭づけすることを意図したものではない。その意味で、当業者には、特定の実施形態の以下の説明を添付の図とともに検討すれば、他の態様および機能が明らかになるはずである。
【００２６】
以下の図を参照しながら、例示の実施形態をより詳細に説明する。
【図面の簡単な説明】
【００２７】
【図１】ニュートラルホストコアネットワークの概略図である。
【図２】機能的分離および物理的分離を伴うｇＮＢの図示である。
【図３】一実施形態による、複数のオペレータネットワークに接続されたＮＨ通信ネットワークの概略図である。
【図４】一実施形態による、複数のオペレータネットワークに接続されたＮＨ通信ネットワークの別の概略図である。
【図５】ＮＲのための分割されたアーキテクチャの図示である。
【図６】一実施形態による、ネットワークノードにおける方法の流れ図である。
【図７】一実施形態による、ネットワークノードにおける方法の別の流れ図である。
【図８】図６および図７の方法の一実施例の流れ図である。
【図９】一実施形態によるネットワークノードの概略図である。
【図１０】別の実施形態によるネットワークノードの概略図である。
【図１１】別の実施形態によるネットワークノードの概略図である。
【図１２】図６および図７の方法を実施するためのクラウドコンピューティング環境の図示である。
【発明を実施するための形態】
【００２８】
以下で明らかにされる実施形態は、当業者が実施形態を実施することを可能にするための情報を表す。添付の図に照らして以下の説明を読めば、当業者なら、この説明の概念を理解し、本明細書でより詳しくは扱われないこれらの概念の適用を認識するであろう。これらの概念および適用がこの説明の範囲に含まれることを理解されたい。
【００２９】
以下の説明では、多くの特定の詳細が明らかにされる。しかしながら、実施形態がこれらの特定の詳細なしで実施され得ることが理解される。他の事例では、周知の回路、構造、および技術は、説明の理解を曖昧にしないために、詳細には示されていない。当業者なら、含まれた説明を用いて、不必要な実験作業なしで適切な機能を実施することができるはずである。
【００３０】
本明細書における「１つの実施形態」、「一実施形態」、「例示の実施形態」などへの参照は、記載の実施形態が、特定の機能、構造、または特性を含み得るが、必ずしもすべての実施形態が特定の機能、構造、または特性を含むとは限らないことを示す。その上に、そのような慣用句は必ずしも同一の実施形態を参照しているわけではない。さらに、一実施形態に関連して特定の機能、構造、または特性が記述されたとき、他の実施形態に関連して、明示的に記述されたか否かにかかわらず、そのような機能、構造、または特性を実施することは当業者の知見の範囲内にあることが提示される。
【００３１】
上記で言及されたように、現行のｖＲＡＮシステムはＮＨをサポートしない。解決策の１つは、ＮＨネットワークまたはマルチオペレータネットワークを配備することであるが、ＮＨプロバイダは、完全な３ＧＰＰエボルブドパケットコア（ＥＰＣ）も配備する必要がある。図１にはＮＨネットワーク１００が示されている。ＮＨネットワーク１００は、たとえばモビリティ管理エンティティ（ＭＭＥ）１０２、ＮＨゲートウェイ（ＮＨ  ＧＷ）１０４、ローカルの認証認可アカウンティング（ＡＡＡ）プロキシ１０６など、ＥＰＣの多くの機能を有する。ＮＨネットワーク１００は、当技術において周知の異なるインターフェースを通じて、ユーザ機器（ＵＥ）１０８、外部ＩＰネットワーク１１０、ＰＤＮゲートウェイ１１２および異なるＡＡＡ１１４に接続され得る。これはいくつかの大きなＮＨプロバイダにとって実現可能ではあるが、技術的または経済的に実現不可能である多くのシナリオがあり得、すなわち、多くのＮＨプロバイダはネットワークオペレータを業務としていない。したがって、現行のｖＲＡＮシステムのために、簡単なやり方でＮＨをサポートするための解決策を提供する必要性がある。
【００３２】
本開示の実施形態は、Ｆ１インターフェースを通じて新規のシグナリングメッセージを供給することにより、現行のｖＲＡＮシステムがＮＨネットワークおよびマルチオペレータネットワークをサポートすることを可能にする。たとえば、ＲＣＦ機能とＢＰＦ機能の間で特定の情報を交換することができる。
【００３３】
本実施形態の詳細に入る前に、ＮＲネットワークに関する分割アーキテクチャの説明が提供される。
【００３４】
図２は、５ＧまたはＮＲのプロトコルスタックの機能的分離および物理的分離を実施するｇＮＢ２００を図示する。ｇＮＢ２００は、集中型ユニット（ＣＵ）２０２および複数の分散型ユニット（ＤＵ）２０４によって表される。ＣＵ２０２はＰＰＦの機能を含み得、これはパケットデータ収束プロトコル（ＰＤＣＰ）機能を含み得る。ＣＵ２０２は、たとえば無線リソース制御（ＲＲＣ）および／またはＲＣＦの機能も含み得る。ＤＵ２０４は、無線リンク制御（ＲＬＣ）、媒体アクセス制御（ＭＡＣ）および物理レイヤ（ＰＨＹ）など、レイヤ１およびレイヤ２の機能を含み得る。ＣＵとＤＵの間で定義されるインターフェースはＦ１インターフェースである。ｇＮＢ２００はＸ２インターフェースを介して別のｇＮＢに接続され得る。ｇＮＢ２００は、インターフェースＳ１を介してＭＭＥなどのネットワークノードにも接続され得る。ＮＧのインターフェースおよびＸｎのインターフェースは、それぞれＳ１およびＸ２の４Ｇインターフェースの５Ｇと同等のインターフェースである。分割アーキテクチャを使用すると、ｇＮＢ２００のＣＵ２０２とＤＵ２０４が、別々のネットワーク所有者に属し得ることに留意されたい。
【００３５】
本開示では、ＢＰＵ（ベースバンド処理ユニット）、ｃＲＢＵ（クラウド接続されたＲＢＵ）およびＲＢＵ（リモートベースバンドユニット）という用語はＤＵと同等であり、そのためこれらの用語は区別なく使用され得ることに留意されたい。また、ＲＣＦ（無線制御機能）はｖＲＣ（仮想無線制御）と区別なく使用され得る。また、ＰＰＦ（パケット処理機能）はｖＰＰ（仮想パケット処理）と区別なく使用され得る。
【００３６】
たとえば、図３に示される、一実施形態によるＮＲ用の分割アーキテクチャを使用する通信ネットワーク３００のアーキテクチャにより、ＮＨネットワークに属する単一のｃＲＢＵ（たとえばｇＮＢのＤＵ）が、複数のオペレータのネットワークによって共有され得、かつ／または複数のオペレータのネットワークに接続され得る。図３に示されるように、ｃＲＢＵ３０４（それはレイヤ１およびレイヤ２の機能を含む）は、オペレータＡ、オペレータＢおよびオペレータＸのネットワークに接続されている。たとえば、各オペレータはｖＲＡＮを有する。ｃＲＢＵ３０４は、インターフェースＦ１と同等のインターフェースＣ５を使用して各オペレータのｖＲＡＮに接続されている。ｃＲＢＵ３０４は、ＮＨネットワークのＯＳＳノード３０６にも接続され得る。
【００３７】
図４は、図３と同じアーキテクチャを、オペレータのネットワークに関してより詳細に示す。たとえば、ＤＵ２０４（たとえばｃＲＢＵ）は、オペレータＡおよびＢ（またはサービスプロバイダＡおよびＢ）のネットワークに接続されている。より具体的には、ＤＵ２０４は、インターフェースＦ１を介して、それぞれ各オペレータのネットワークのＰＰＦ４０２およびＲＣＦ４０４に接続されている。その上、ＰＰＦ４０２はインターフェースＥ６を介してＲＣＦ４０４に接続されている。ＳＧＷ４０６、ＭＭＥ４０８、ＰＧＷ４１０、ＨＳＳ／ＡＡＡ４１２、ＣＳＣＦ４１４、ＩＭＳ４１６、ＰＣＲＦ４１８など、オペレータのネットワークの他の要素は当技術において周知であり、さらなる説明はないことに留意されたい。
【００３８】
図５は、一実施形態による、異なる機能を有するＮＲのための分割アーキテクチャを示す。コアネットワークは、無線ベースバンドユニット（ｃＲＢＵ）から分離した仮想パケット処理（ｖＰＰ）および仮想無線制御（ｖＲＣ）などのＣＵ２０２に接続されている。ｖＰＰはＰＰＦを含み得、ｖＲＣはＲＣＦを含み得る。ｖＲＣ／ｖＰＰとｃＲＢＵの間のインターフェースは、図３に示されたようなＣ５インターフェースと同等のＦ１インターフェースである。ｃＲＢＵは、同じオペレータまたは別々のオペレータの多くのＰＰＦ／ＲＣＦインスタンスに接続され得ることに留意されたい。その上、コアネットワークは、分割アーキテクチャを有しない無線ベースバンドユニット（ＲＢＵ）および／またはベースバンド処理ユニット（ＢＰＵ）に接続され得る。この場合、ＲＢＵおよびＢＰＵは従来のｇＮＢまたはｅＮＢの一部分である。
【００３９】
前述のように、本開示により、ｖＲＡＮシステムは、同じオペレータまたは別々のオペレータの多くのＰＰＦ／ＲＣＦインスタンスが１つまたは複数のｃＲＢＵのリソースを共有する、図３〜図５に示されたようなＮＨおよびＭＯをサポートすることができる。そうするために、接続確立期の間に、Ｆ１インターフェースおよびＥ６インターフェースを通じて、図５の別々のノード間で複数の新規のメッセージ（または信号）が通信される。あるいは、ｖＲＡＮｓシステムがＮＨおよびＭＯをサポートすることを可能にするために、Ｆ１インターフェースを通じて、既存メッセージの中の新規の情報要素が通信される。
【００４０】
たとえば、新規のメッセージは、Ｆ１インターフェースを通じて、ｃＲＢＵ３０４（またはＤＵ２０４）とＲＣＦ４０４の間の制御プレーンにおいて、ＲＣＦ４０４とＰＰＦ４０２の間においてＥ６インターフェースを通じて、またｃＲＢＵ３０４（またはＤＵ２０４）とＰＰＦ４０２の間のユーザ位置において示される。より具体的には、これらのメッセージにはＮＨおよびＭＯの情報／パラメータが含まれることになる。
【００４１】
１）一例として、制御プレーンにおいて、接続確立期の間にＦ１インターフェースを通じて以下のパラメータが送信され得る。
【００４２】
ｃＲＢＵ３０４→ＲＣＦ４０４の方向に送信されるものには、
−  スタンドアロンモード（マルチファイアおよびスタンドアロンのＮＲ）用のＮＨ識別子（ＮＨ−ＩＤ）、
−  無線能力（周波数の範囲、数、キャリアの帯域幅（ＢＷ）、占有されたＢＷ（ＯＢＷ）、瞬時ＢＷ（ＩＢＷ）、無線周波数の最大出力電力（最大ＯＰ）、無線リンク制御（ＲＬＣ）モードなど）、
−  他の検知されたセル（物理セルの識別子（ＰＣＩ）またはダウンリンク参照信号（ＤＲＳ）によって識別される）のリストおよび周波数、ＢＷ、
−  （５ＧＨｚおよび３．５ＧＨｚに関して）サポートされるチャネルのリスト、
−  （５ＧＨｚおよび３．５ＧＨｚに関して）共有されるスペクトルに対するチャネル負荷、チャネルスキャン設定、
−  衝突の数、ハイブリッド自動再送要求（ＨＡＲＱ）の統計、ブロック誤り率（ＢＬＥＲ）といった統計、
−  サポートされる任意選択の機能のリスト、
−  ノイズフロア（ＮＦ）の測定値、エネルギー検知（ＥＤ）レベル、受信された信号強度インジケータ（ＲＳＳＩ）ヒストグラム、
−  選択されたキャリア周波数、ＢＷチャネル番号、チャネル負荷など、がある。
【００４３】
ＲＣＦ４０４→ｃＲＢＵ３０４の方向に送信されるものには、
−  所望のキャリア周波数、キャリアＢＷ、幾つかのアンテナポート、複数のチャネル番号、ＨＡＲＱ再送の数、ＢＬＥＲのターゲット、所望のＰＣＩ、ランダムアクセスチャネル（ＲＡＣＨ）プリアンブルなどの無線能力、
−  最大の送信機会（最大ＴＸＯＰ）、送信（ＴＸ）電力、ＤＲＳ設定、
−  他のシステム情報ブロック（ＳＩＢ）パラメータ、
−  ＰＤＣＰフローのＩＤマップ、がある。
【００４４】
３ＧＰＰのＥ６インターフェースであるＥ６インターフェースを通じてＲＣＦ４０４とＰＰＦ４０２の間で両方向に伝送されるものには、
−  たとえば、ネットワークオペレータとニュートラルホストの間のあらゆるサービスレベル合意（ＳＬＡ）を満たすためにＰＰＦ４０２によってｃＲＢＵ３０４（またはＤＵ２０４）に転送される（そしてｃＲＢＵ３０４からＰＰＦ４０２に送られる）パケットの優先順位およびスケジューリング要件に関する情報といったパケット転送のサービス品質（ＱｏＳ）パラメータ、そのようなスケジューリング要件は、（それだけではないが）
ｉ．最大のパケット遅延またはパケットのバッファリング限界、
ｉｉ．イーサネットフレームおよび／またはＩＰパケットヘッダのサービス品質（ＱｏＳ）（優先順位）セッティング、
ｉｉｉ．最大伝送単位（ＭＴＵ）：ＳＬＡに準拠するための要件を伝送するのに必要なイーサネットフレームまたはＩＰパケットの最大サイズ、を含み得る。
−  ＰＤＣＰフローのＩＤマップ、がある。
【００４５】
２）一例として、ユーザプレーンにおいて、ユーザプレーンのＦ１インターフェースを通じて以下のパラメータが送信され得る。
【００４６】
ｃＲＢＵ３０４→ＰＰＦ４０２の方向に送信されるものには、
−  たとえば（フロー制御のための）着信パケットのバッファ状態、パケットの遅延およびジッタ、パケット紛失の数（パケット誤り率）、寸断されたパケット数などの、パケット受信についての統計および報告、
−  ユーザプレーン容量超過の指示（超過／未超過）、がある。
【００４７】
ＰＰＦ４０２→ｃＲＢＵ３０４の方向に送信されるものには、
−  たとえばｃＲＢＵ３０４によってＰＰＦ４０２に転送されるパケットの優先順位およびスケジューリング要件に関する情報といった、サービスレベル合意（ＳＬＡ）のユーザプレーンパラメータリスト、
−  たとえばパブリック陸上モバイルネットワーク識別子（ＰＬＭＮ−ＩＤ）といった、オペレータＩＤ、
−  ＰＤＣＰフローのＩＤマップ、がある。
【００４８】
パラメータのうちいくつかの交換は、いくつかのアクションまたは閾値に対して任意選択または条件付きであることに留意されたい。たとえば、下記の表１は、ｖＲＡＮのサービスプロバイダ（たとえばＭＮＯ）またはＮＨプロバイダのｃＲＢＵ３０４によってセットされ得るパラメータのうちいくつかを示す。
2020522949.tif 000003
2020522949.tif 000004
2020522949.tif 000005
2020522949.tif 000006
【００４９】
次に図６に移って、一実施形態によってニュートラルホストネットワークと１つまたは複数の仮想無線アクセスネットワーク（ｖＲＡＮ）の間に接続をサポートしたり確立したりするための方法６００が図示されている。この方法は、ｇＮＢのＣＵ２０２（またはＲＣＦ／ＰＰＦ）において実施され得る。１つまたは複数のネットワークオペレータの仮想無線アクセスネットワークがニュートラルホストネットワークとの接続を確立し得る前に、両者間でサービスレベル合意（ＳＬＡ）が共有されて互いに承認されることに留意されたい。方法６００は、１つまたは複数のｖＲＡＮに、ＮＨネットワークの識別子および少なくとも第１の無線パラメータを含むメッセージを送ること（ブロック６１０）から始まる。ＮＨは、ＢＰＦを与えて管理し得る任意のエンティティ、または無線ユニットの機器およびリソースを指すことに留意されたい。
【００５０】
方法６００は、メッセージに応答して、１つまたは複数のｖＲＡＮの識別子および少なくとも第２の無線パラメータを受信すること（ブロック６２０）へと続く。方法６００は、１つまたは複数のｖＲＡＮの識別子と、ＮＨネットワークの識別子と、少なくとも第１の無線パラメータおよび少なくとも第２の無線パラメータのうち１つとに基づいて、ＮＨネットワークと１つまたは複数のｖＲＡＮとの間に接続を確立すること（ブロック６３０）へと続く。
【００５１】
言い換えれば、ｇＮＢのＣＵ２０２部分は、１つまたは複数のｖＲＡＮとの接続確立プロシージャを開始することができる。接続確立プロシージャの間に、ＮＨネットワークと１つまたは複数のｖＲＡＮは、それぞれの識別子および１つまたは複数の無線パラメータを交換することができる。無線パラメータは、たとえば所望のキャリア周波数、選択されたセル、キャリア帯域幅などの無線能力を含み得る。次いで、ＮＨネットワークと１つまたは複数のｖＲＡＮは、１つまたは複数の無線パラメータを交渉することができる。たとえば、ＤＵまたはｃＲＢＵは、使用するキャリア周波数を裁定することができ、次いで所望のキャリア周波数を要求することができる。ＲＣＦまたはｖＲＡＮは、要求に応答して、ｃＲＢＵに所望のキャリア周波数を送ってよい。別の例として、ｃＲＢＵは、使用するセルを裁定してよい。次いで、ｃＲＢＵは、使おうとしているセルをｖＲＡＮに示すことができる。ｖＲＡＮはこの指示に応答してＰＣＩを送ることになる。
【００５２】
１つまたは複数の無線パラメータが一旦交渉されると、それぞれの識別子および１つまたは複数の無線パラメータに基づいて、ＮＨネットワークと１つまたは複数のｖＲＡＮとの間に接続が確立され得る。無線パラメータおよび識別子の交換は、１つまたは複数のメッセージを使用して行われ得ることに留意されたい。
【００５３】
いくつかの実施形態では、少なくとも第１のパラメータはＮＨネットワークの無線能力を含み得、少なくとも第２のパラメータは１つまたは複数のｖＲＡＮの無線能力を含み得る。
【００５４】
いくつかの実施形態では、１つまたは複数のｖＲＡＮの無線能力は、１つまたは複数のキャリア周波数、キャリア帯域幅、幾つかのアンテナポート、複数のチャネル番号、ブロック誤り率（ＢＬＥＲ）ターゲット、物理セルの識別子（ＰＣＩ）、およびランダムアクセスチャネル（ＲＡＣＨ）プリアンブルのうち１つまたは複数を含み得る。
【００５５】
いくつかの実施形態では、ＮＨネットワークの無線能力は、キャリア周波数範囲、キャリア帯域幅、幾つかのキャリア、占有周波数帯域幅（ＯＢＷ）、無線リンク制御（ＲＬＣ）モード、瞬時帯域幅（ＩＢＷ）、および最大出力電力（ＯＰ）のうち１つまたは複数を含み得る。
【００５６】
いくつかの実施形態では、メッセージは、検知されたセルのリスト、サポートされるチャネルのリスト、共有されるスペクトルに対するチャネル負荷、チャネル状態の統計量のリスト、ノイズフロア（ＮＦ）の測定値、エネルギー検知（ＥＤ）レベル、および受信された信号強度インジケータ（ＲＳＳＩ）のヒストグラムのうち１つまたは複数をさらに含み得る。
【００５７】
いくつかの実施形態では、この方法は、最大の送信機会（ＴＸＯＰ）、送信電力、ダウンリンク参照信号（ＤＲＳ）設定、およびパケットデータ収束プロトコル（ＰＤＣＰ）のフロー識別子マップを受信することをさらに含み得る。
【００５８】
いくつかの実施形態では、送信および受信は、ＮＨネットワークと１つまたは複数のｖＲＡＮとの間でＦ１インターフェースを通じて実施される。
【００５９】
いくつかの実施形態では、少なくとも第１の無線パラメータはＮＨネットワークが使おうとしているキャリア周波数でよく、少なくとも第２の無線パラメータを受信することは、キャリア周波数を受信することを含み得る。
【００６０】
いくつかの実施形態では、少なくとも第１の無線パラメータはＮＨネットワークが使おうとしている物理セルの識別子（ＰＣＩ）であり、少なくとも第２の無線パラメータを受信することは、ＰＣＩを受信することを含み得る。
【００６１】
いくつかの実施形態では、１つまたは複数のｖＲＡＮにメッセージを送ることは、少なくとも第１のパラメータの要求を含み得、少なくとも第２の無線パラメータを受信することは、少なくとも第１のパラメータの要求に応答して行われてよい。
【００６２】
図７は、一実施形態による、ニュートラルホストネットワークと仮想無線アクセスネットワークの間の接続をサポートしたり確立したりする方法７００の流れ図を図示する。この方法は、ｇＮＢのＤＵ２０４（またはｃＲＢＵ）において実施され得る。ネットワークオペレータの仮想無線アクセスネットワークがニュートラルホストネットワークとの接続を確立し得る前に、両者間でサービスレベル合意（ＳＬＡ）が共有されて互いに承認されることに留意されたい。方法７００は、ＮＨネットワークから、ＮＨネットワークの識別子および少なくとも第１の無線パラメータを含むメッセージを受信すること（ブロック７１０）から始まる。方法７００は、メッセージに応答して、１つまたは複数のｖＲＡＮの識別子および少なくとも第２の無線パラメータを送ること（ブロック７２０）へと続く。方法７００は、ＮＨネットワークの識別子と、１つまたは複数のｖＲＡＮの識別子と、少なくとも第１の無線パラメータおよび第２の無線パラメータのうち１つとに基づいて、ＮＨネットワークと１つまたは複数のｖＲＡＮとの間に接続を確立すること（ブロック７３０）へと続く。
【００６３】
それぞれの情報を交換することにより、方法６００は代わりにＣＵによって実施され得、方法７００はＤＵによって実施され得ることを理解されたい。
【００６４】
図８の流れ図には方法６００および７００の例示的実装形態８００が図示されている。ｃＲＢＵ３０４は、複数のｖＲＡＮと共有され得、または複数のｖＲＡＮに接続され得ることに留意されたい。
【００６５】
最初に、オペレータが使用するＮＨネットワークを提供することができるＮＨプロバイダ８０１と携帯電話サービスプロバイダが、サービスレベル合意を交渉する（ステップ８０２および８０４）。一旦ＳＬＡに達して合意されると、サービスプロバイダは、ｖＲＡＮ動作管理およびそれ自体のネットワーク管理（ＯＡＭ）８０３にＳＬＡパラメータを付加する（ステップ８０６）。ＮＨプロバイダ８０１は同じことを行い、すなわちＮＨネットワークのＯＡＭ８０５にＳＬＡパラメータを付加する（ステップ８０８）。ｖＲＡＮのＯＡＭ８０３は、ＳＬＡパラメータを一旦受信すると、ＲＣＦ４０４およびＰＰＦ４０２などのｖＲＡＮのネットワークノードに、対応する設定を送る（ステップ８１０および８１１）。ＯＡＭ８０５は、ＳＬＡパラメータを一旦受信すると、ｃＲＢＵ３０４などのＮＨネットワークのネットワークノードに、対応する設定を送る（ステップ８１２）。
【００６６】
次いで、ｃＲＢＵ３０４は、少なくともＮＨネットワークの識別子およびいくらかのセキュリティ情報を含む第１のメッセージをＲＣＦ４０４に送ることにより、ＲＣＦ４０４などのｖＲＡＮのネットワークノードに接続するプロシージャを開始する（ステップ８１４）。ＲＣＦ４０４は、ｖＲＡＮの識別子、いくらかのセキュリティ情報、プロトコルバージョン、ｖＲＡＮ能力、およびＳＬＡ要件を含み得る第２のメッセージを送ることによって第１のメッセージに応答する（ステップ８１６）。このプロシージャの間に、ＲＣＦ４０４およびｃＲＢＵ３０４は、ｃＲＢＵ３０４とＲＣＦ４０４の間で使用されるプロトコルバージョンおよび能力の共通セットを交渉してもよい（ステップ８１８）。ＲＣＦ４０４およびｃＲＢＵ３０４はＳＬＡ要件を確認してもよい。別の実施形態によれば、ＲＣＦ４０４は、ｃＲＢＵ３０４との接続プロシージャを開始することができ、次いでｃＲＢＵ３０４がメッセージに応答するはずであることに留意されたい。
【００６７】
たとえば、ＲＣＦ４０４は、第２のメッセージと同じメッセージまたは異なるメッセージでも、ｃＲＢＵ３０４に無線パラメータを送ることができる。無線パラメータはＳＩＢ２またはＳＩＢで送られ得る。加えて、ＲＣＦ４０４は、サービスプロバイダに特有のいくつかのパラメータもＳＩＢ２でｃＲＢＵ３０４に送ることができ、かつ／または他のＳＩＢのパラメータを送ってもよい（ステップ８２０）。無線パラメータは、所望のキャリア周波数、キャリア帯域幅、幾つかのアンテナポート、所望の物理セルの識別子（ＰＣＩ）、ＲＡＣＨプリアンブルなどであり得る。
【００６８】
ｃＲＢＵ３０４は、第１のメッセージと同じメッセージまたは異なるメッセージでも、ＲＣＦ４０４に無線パラメータを送ることができる。たとえば、ｃＲＢＵ３０４は、サーブする特定のセルを選択することができ、一例としてマスタ情報ブロック（ＭＩＢ）およびＳＩＢ１を使用して、第１のメッセージで、選ばれたセルの識別子をＲＣＦ４０４に送る（ステップ８２２）。また、ｃＲＢＵ３０４は、使用するキャリア周波数などの他のパラメータを送るか、または使用するキャリア周波数を請求してもよい。あるいは、ｃＲＢＵ３０４は、所望のＰＣＩにおけるＲＣＦ４０４によって示されたセルにサーブすることを裁定することができる。そのため、ｃＲＢＵ３０４はＲＣＦ４０４にＰＣＩを送る。無線パラメータは、ｃＲＢＵ、検知されたセル、サポートされるチャネルなどの無線能力をさらに含むことができる。
【００６９】
次いで、ｃＲＢＵ３０４の識別子と、ＲＣＦ４０４（またはｖＲＡＮ）の識別子と、ＲＣＦ４０４またはｃＲＢＵ３０４からの少なくとも１つの無線パラメータとに基づいて、ｃＲＢＵ３０４と特定のＲＣＦ４０４の間に接続が確立され得る。ｃＲＢＵ３０４とＲＣＦ４０４は、互いに通信するために、同一のプロトコルバージョンおよび能力およびＳＬＡ要件を使用することができる。ＮＨネットワークが特定のｖＲＡＮと一旦接続されると、ＵＥ１０８は、通信サービスのためにｃＲＢＵ３０４に接続され得る。ＵＥ１０８は、ｃＲＢＵ３０４に接続するために、ｃＲＢＵ３０４との接続を要求する（ステップ８２４）。ｃＲＢＵ３０４は、要求を受信すると、ＵＥ１０８が結びつこうとしているセル、およびＵＥ１０８がサービスを受けようとしているオペレータを判定する（ステップ８２６）。次いで、所望のオペレータから、ＵＥ１０８とｃＲＢＵ３０４とｖＲＡＮとの間で通常のコールがセットアップされ得る（ステップ８２８）。
【００７０】
同一のｃＲＢＵを共有するモバイルネットワークオペレータまたは別々のオペレータの各ｖＲＡＮについて、ＮＨネットワークおよびｖＲＡＮの各々との接続を確立するために上記のプロシージャが使用される。
【００７１】
さらなるｖＲＡＮオペレータまたはサービスプロバイダが、同一のｃＲＢＵ上で新規のセルを生成し得ることに留意されたい。たとえば、さらなるｖＲＡＮオペレータまたはサービスプロバイダは、無線リソース（たとえばキャリア周波数）を共有すること、それ自体のプライベートなスペクトルを使用すること、または別個の無認可のスペクトルを使用することができる。サービスプロバイダは、セルを共有している可能性がある他のサービスプロバイダの動作状態を生じさせない限り、たとえばセルをロックすること、セルをロック解除すること、設定を変更すること、サービスプロバイダに特有の設定およびデータを、セキュリティキーを含めてすべてｃＲＢＵ３０４から除去することなど、セルにおけるいくつかのアクションを制御してよい。
【００７２】
次に図９に移って、ネットワークノード９００の概略図が図示されている。一定の実施形態によれば、ネットワークノード９００は、たとえばＤＵ２０４（たとえばＢＰＵまたはｃＲＢＵ３０４）またはＣＵ２０２（たとえばＲＣＦ／ＰＰＦ）であり得る。ネットワークノード９００は処理回路９１０およびネットワークインターフェース９３０を含む。回路９１０は１つまたは複数のプロセッサ９４０およびメモリ９５０を含み得る。１つまたは複数のプロセッサ９４０が、ｃＲＢＵ／ＢＰＵまたはＲＣＦ／ＰＰＦによって与えられるものと上記の機能のいくつかまたはすべてをもたらすための命令を実行し、メモリ９５０が、１つまたは複数のプロセッサ９４０によって実行するための命令を記憶し、ネットワークインターフェース９３０が、ゲートウェイ、スイッチ、ルータ、インターネット、公衆交換電話ネットワーク（ＰＳＴＮ）、コアネットワークノード、または無線ネットワークコントローラなどのバックエンドネットワーク要素と信号を通信する。
【００７３】
１つまたは複数のプロセッサ９４０は、上記のものなどのｃＲＢＵ／ＢＰＵまたはＲＣＦ／ＰＰＦの記載の機能のいくつかまたはすべてを実施するために、命令を実行したりデータを操作したりするように、ハードウェアと１つまたは複数のモジュールで実施されたソフトウェアとの任意の適切な組合せを含み得る。いくつかの実施形態では、１つまたは複数のプロセッサ９４０は、たとえば１つまたは複数のコンピュータ、１つまたは複数の中央処理装置（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）および／または他のロジックを含み得る。一定の実施形態では、１つまたは複数のプロセッサ９４０は、図１０および図１１に関して以下で論じられるモジュールのうち１つまたは複数を備え得る。
【００７４】
メモリ９５０は、一般に、コンピュータプログラム、ソフトウェアなどの命令、ロジック、ルール、アルゴリズム、コード、テーブルなどのうち１つまたは複数を含むアプリケーション、および／または１つまたは複数のプロセッサ９４０によって実行され得る他の命令を記憶するように動作可能である。メモリ９５０の例には、コンピュータメモリ（たとえばランダムアクセスメモリ（ＲＡＭ）または読み取り専用メモリ（ＲＯＭ））、大容量記憶媒体（たとえばハードディスク）、リムーバブル記憶媒体（たとえばコンパクトディスク（ＣＤ）またはデジタルビデオディスク（ＤＶＤ））、ならびに／あるいは、情報を記憶する、任意の他の揮発性または不揮発性のメモリデバイス、コンピュータ可読の非一時的メモリデバイス、および／またはコンピュータ実行可能なメモリデバイスが含まれる。
【００７５】
いくつかの実施形態では、ネットワークインターフェース９３０は、１つまたは複数のプロセッサ９４０に対して通信可能に結合されており、また、ｃＲＢＵまたはＲＣＦ向けの入力を受信し、ｃＲＢＵまたはＲＣＦからの出力を送り、入力もしくは出力または両方の適切な処理を実施し、他のデバイスと通信し、あるいは前出のことの任意の組合せを行うように動作可能な任意の適切なデバイスを指し得る。ネットワークインターフェース９３０は、ネットワークによって通信するためのプロトコル変換およびデータ処理の能力を含む適切なハードウェア（たとえばポート、モデム、ネットワークインターフェースカードなど）およびソフトウェアを含み得る。
【００７６】
ネットワークノード９００の他の実施形態に含まれ得る、図９に示されたもの以上のさらなる構成要素は、前述の機能のうち任意のものおよび／または（前述の解決策をサポートするのに必要なあらゆる機能を含む）任意の追加機能を含めて、ネットワークノードの機能の一定の態様をもたらすことに関与し得る。様々な異なるタイプのネットワークノードは、同一の物理ハードウェアを有するが（たとえばプログラミングによって）異なる無線アクセス技術をサポートするように設定された構成要素を含んでもよく、または部分的もしくは完全に異なる物理的構成要素を表してもよい。
【００７７】
記載の機能は、同一の無線ノードもしくはネットワークノードの内部に存在してよく、または複数の無線ノードおよびネットワークノードにわたって分散してもよい。
【００７８】
図１０は、一定の実施形態による、ＤＵ（たとえばＢＰＵまたはｃＲＢＵ）などのネットワークノード１０００の一例を図示する。ネットワークノード１０００は、送信モジュール１０１０、受信モジュール１０２０および確立モジュール１０３０を含み得る。
【００７９】
一定の実施形態では、送信モジュール１０１０は、図６のステップ６１０などのステップを含み得るステップの組合せを実施してよい。
【００８０】
一定の実施形態では、受信モジュール１０２０は、図６のステップ６２０などのステップを含み得るステップの組合せを実施してよい。
【００８１】
一定の実施形態では、確立モジュール１０３０は、図６のステップ６３０などのステップを含み得るステップの組合せを実施してよい。
【００８２】
一定の実施形態では、送信モジュール１０１０、受信モジュール１０２０および確立モジュール１０３０は、図９に関して記載のものなどの１つまたは複数のプロセッサを使用して実施され得る。これらのモジュールは、記載の機能を実施するために任意の適切なやり方で統合または分割されてよい。
【００８３】
図１１は、一定の実施形態による、ＣＵ２０２（たとえばＲＣＦおよび／またはＰＰＦ）などの別のネットワークノード１１００の一例を図示する。ネットワークノード１１００は、受信モジュール１１１０、送信モジュール１１２０および確立モジュール１１３０を含み得る。
【００８４】
一定の実施形態では、受信モジュール１１１０は、図７のステップ７１０などのステップを含み得るステップの組合せを実施してよい。
【００８５】
一定の実施形態では、送信モジュール１１２０は、図７のステップ７２０などのステップを含み得るステップの組合せを実施してよい。
【００８６】
一定の実施形態では、確立モジュール１１３０は、図７のステップ７３０などのステップを含み得るステップの組合せを実施してよい。
【００８７】
一定の実施形態では、受信モジュール１１１０、送信モジュール１１２０および確立モジュール１１３０は、図９に関して記載のものなどの１つまたは複数のプロセッサを使用して実施され得る。これらのモジュールは、記載の機能を実施するために任意の適切なやり方で統合または分割されてよい。
【００８８】
いくつかの実施形態によれば、クラウド接続されたＲＢＵであるｃＲＢＵ３０４など、ＤＵ２０４またはＢＰＵの実装形態は仮想化され得ることに留意されたい。ＲＣＦ４０４およびＰＰＦ４０２も仮想化され得る。本明細書で使用される「仮想」ネットワークノード（たとえば仮想基地局または仮想無線アクセスノード）は、ネットワークの機能の少なくとも一部分が、（たとえばネットワークにおける物理処理ノード上で実行する仮想マシンによって）仮想構成要素として実施されるネットワークノードの実装形態である。ｃＲＢＵ３０４およびＲＣＦ４０４およびＰＰＦ４０２の機能は、１つまたは複数のプロセッサ９４０において実施されるか、またはクラウドコンピューティングシステムにわたって分散される。いくつかの特別な実施形態では、ｃＲＢＵ３０４およびＲＣＦ４０４およびＰＰＦ４０２の機能のうちいくつかまたはすべてが、処理ノードによってホスティングされた仮想環境において実施される１つまたは複数の仮想マシンによって実行される仮想構成要素として実施される。
【００８９】
たとえば、図１２に移って、いくつかの実施形態の方法または方法の一部分を実施するインスタンスまたは仮想アプライアンス１２２０が与えられている。インスタンスは、処理回路１２６０およびメモリ１２９０を与えるクラウドコンピューティング環境１２００において作動する。メモリが処理回路１２６０によって実行可能な命令１２９５を含むことにより、インスタンス１２２０は、いくつかの実施形態に関連して以前に記載の方法または方法の一部分を実行するように動作可能である。
【００９０】
クラウドコンピューティング環境１２００は、民生品の（ＣＯＴＳ）プロセッサ、専用の特定用途向け集積回路（ＡＳＩＣ）、あるいは、デジタルもしくはアナログのハードウェア構成要素または専用プロセッサと、物理ネットワークインターフェース１２８０を含むネットワークインターフェースカードとしても知られているネットワークインターフェースコントローラ１２７０（ＮＩＣ）とを含む任意の他のタイプの処理回路であり得る１つまたは複数のプロセッサまたは処理回路１２６０のセットを備えるハードウェア１２３０を含む汎用ネットワークデバイスを備える。汎用ネットワークデバイスは、プロセッサ１２６０によって実行可能なソフトウェアおよび／または命令１２９５を記憶している非一時的機械可読記憶媒体１２９０−２も含む。プロセッサ１２６０は、動作中にソフトウェア／命令１２９５を実行して、仮想コンピュータモニタ（ＶＭＭ）と称されることもあるハイパーバイザ１２５０と、ハイパーバイザ１２５０によって作動される１つまたは複数の仮想マシン１２４０とのインスタンスを作成する。
【００９１】
仮想マシン１２４０は、あたかも有形で仮想化されていないマシン上で実行しているかのようにプログラムを作動させる、物理マシンのソフトウェア実装形態であり、いくつかのシステムはオペレーティングシステムまたはアプリケーションが最適化のための仮想化の存在を認識することを可能にする準仮想化を提供するが、一般的には、アプリケーションは、「ベアメタル」ホスト電子デバイス上で作動するのとは対照的に、仮想マシン上で作動していることを識別しない。仮想マシン１２４０の各々と、ハードウェア１２３０のうち仮想マシンを実行する部分とが（同仮想マシンの専用のハードウェア、および／または同仮想マシンによって仮想マシン１２４０の他のものと時間的に共有されるハードウェアのタイムスライスであっても）、別個の仮想ネットワーク要素（ＶＮＥ）を形成する。
【００９２】
ハイパーバイザ１２５０は、仮想マシン１２４０に対するネットワーキングハードウェアのように見える仮想動作プラットフォームを提示してよく、仮想マシン１２４０は通信および設定を制御するモジュールおよび表を転送することなどの機能を実施するために使用され得、ハードウェアのこの仮想化は、ネットワーク機能の仮想化（ＮＦＶ）と称されることがある。したがって、ＮＦＶは、業界標準の多くのネットワーク機器のタイプを、データセンタおよび顧客の構内機器（ＣＰＥ）に配置され得る大容量のサーバハードウェア、物理スイッチ、および物理的記憶装置に統合するために使用され得る。インスタンスまたは仮想アプライアンス１２２０の異なる実施形態が、仮想マシン１２４０のうち１つまたは複数で実施され得、実装形態は違ったやり方で作製され得る。
【００９３】
いくつかの実施形態は、機械可読媒体（コンピュータ可読媒体、プロセッサ可読媒体、または具現されたコンピュータ可読プログラムコードを内蔵するコンピュータ使用可能媒体とも称される）に記憶された非一時的ソフトウェア製品として表現され得る。機械可読媒体は、ディスケット、コンパクトディスク読み取り専用メモリ（ＣＤ−ＲＯＭ）、（揮発性または不揮発性の）デジタル多用途ディスク読み取り専用メモリ（ＤＶＤ−ＲＯＭ）メモリデバイス、または類似の記憶装置を含む磁気記憶媒体、光記憶媒体、もしくは電気記憶媒体を含む任意の適切な有形の媒体でよい。機械可読媒体は、命令、コードシーケンス、設定情報、または他のデータの様々なセットを含み得、これらは実行されたとき、プロセッサに、記載の実施形態のうち１つまたは複数による方法のステップを実施させる。当業者なら、記載の実施形態を実施するのに必要な他の命令および動作も機械可読媒体に記憶され得ることを理解するであろう。機械可読媒体から作動するソフトウェアは、記載のタスクを実施するために回路とのインターフェースをとり得る。
【００９４】
前述の実施形態は単なる例として意図されている。当業者なら、改変形態、修正形態および変形形態により、添付の特許請求の範囲によってのみ規定される説明の範囲から逸脱することなく、特定の実施形態を達成し得る。
【００９５】
本説明は以下の省略形のうち１つまたは複数を含み得る。
ＡＲＱ  自動再送要求
ＡＷＧＮ  付加白色ガウスノイズ
ＢＣＣＨ  ブロードキャスト制御チャネル
ＢＣＨ  ブロードキャストチャネル
ＣＡ  キャリアアグリゲーション
ＣＣＣＨ  ＳＤＵ  共通制御チャネルＳＤＵ
ＣＤＭＡ  符号分割多重アクセス
ＣＧＩ  セルグローバル識別子
ＣＰ  サイクリックプレフィックス
ＣＰＩＣＨ  共通パイロットチャネル
ＣＰＩＣＨ  Ｅｃ／Ｎｏ  チップごとにＣＰＩＣＨで受信されたエネルギーを帯域の電力密度で割ったもの
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＲＸ  間欠受信
ＤＴＸ  間欠送信
ＤＴＣＨ  専用トラフィックチャネル
ＤＵＴ  試験中のデバイス
Ｅ−ＣＩＤ  拡張セル−ＩＤ（測位方法）
ＥＣＧＩ  エボルブドＣＧＩ
ＥＤ  エネルギー検知
ｅＮＢ  Ｅ−ＵＴＲＡＮ  ＮｏｄｅＢ
ｅＰＤＣＣＨ  拡張物理ダウンリンク制御チャネル
Ｅ−ＳＭＬＣ  エボルブドサービングモバイルロケーションセンタ
Ｅ−ＵＴＲＡ  エボルブドＵＴＲＡ
Ｅ−ＵＴＲＡＮ  エボルブドＵＴＲＡＮ
ＦＤＤ  周波数分割複信（ＦＤＤ）
ＧＥＲＡＮ  ＧＳＭエッジ無線アクセスネットワーク
ＧＳＭ  モバイル通信用グローバルシステム
ＨＡＲＱ  ハイブリッド自動再送要求
ＨＯ  ハンドオーバ
ＨＳＰＡ  高速パケットアクセス
ＨＲＰＤ  高レートパケットデータ
ＬＰＰ  ＬＴＥ測位プロトコル
ＭＡＣ  メディアアクセス制御
ＭＢＭＳ  マルチメディアブロードキャストマルチキャストサービス
ＭＢＳＦＮ  マルチメディアブロードキャストマルチキャストサービスの単一周波数ネットワーク
ＭＢＳＦＮ  ＡＢＳ  ＭＢＳＦＮオールモストブランクサブフレーム
ＭＤＴ  運転テストの最小化
ＭＩＢ  マスタ情報ブロック
ＭＭＥ  モビリティ管理エンティティ
ＭＯ  マルチオペレータ
ＮＦ  ノイズフロア
ＮＨ  ニュートラルホスト
ＮＰＤＣＣＨ  狭帯域物理ダウンリンク制御チャネル
ＮＲ  新無線
ＯＣＮＧ  ＯＦＤＭＡチャネルノイズジェネレータ
ＯＦＤＭ  直交周波数分割多重
ＯＦＤＭＡ  直交周波数分割多元接続
ＯＳＳ  運用支援システム
Ｏ＆Ｍ  運用および保守
ＰＢＣＨ  物理ブロードキャストチャネル
Ｐ−ＣＣＰＣＨ  １次共通制御物理チャネル
ＰＣｅｌｌ  １次セル
ＰＣＦＩＣＨ  物理制御フォーマットインジケータチャネル
ＰＤＣＣＨ  物理ダウンリンク制御チャネル
ＰＤＳＣＨ  物理ダウンリンク共有チャネル
ＰＧＷ  パケットゲートウェイ
ＰＨＩＣＨ  物理ハイブリッドＡＲＱインジケータチャネル
ＰＬＭＮ  公衆陸上モバイルネットワーク
ＰＭＩ  プリコーダ行列インジケータ
ＰＲＡＣＨ  物理ランダムアクセスチャネル
ＰＲＳ  測位参照信号
ＰＵＣＣＨ  物理アップリンク制御チャネル
ＰＵＳＣＨ  物理アップリンク共有チャネル
ＲＬＭ  無線リンク管理
ＲＲＣ  無線リソース制御
ＲＳＣＰ  受信信号コード電力
ＲＳＲＰ  参照信号受信電力
ＲＳＲＱ  参照信号受信品質
ＲＳＳＩ  受信信号強度インジケータ
ＲＳＴＤ  参照信号時間差
ＱＡＭ  直交振幅変調
ＲＡＣＨ  ランダムアクセスチャネル
ＲＡＴ  無線アクセス技術
ＲＮＣ  無線ネットワークコントローラ
ＲＮＴＩ  無線ネットワーク一時識別子
ＲＲＣ  無線リソース制御
ＲＲＭ  無線リソース管理
ＳＣＨ  同期チャネル
ＳＣｅｌｌ  ２次セル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号対ノイズ比
ＳＯＮ  自己最適化ネットワーク
ＴＤＤ  時分割多重
ＴＴＩ  送信時間間隔
ＵＥ  ユーザ機器
ＵＬ  アップリンク
ＵＭＴＳ  ユニバーサルモバイル通信システム
ＵＴＲＡ  ユニバーサル地上無線アクセス
ＵＴＲＡＮ  ユニバーサル地上無線アクセスネットワーク
ＷＣＤＭＡ  広域ＣＤＭＡ
ＷＬＡＮ  無線ローカルエリアネットワーク
【図１】
2020522949.tif 000007
【図２】
2020522949.tif 000008
【図３】
2020522949.tif 000009
【図４】
2020522949.tif 000010
【図５】
2020522949.tif 000011
【図６】
2020522949.tif 000012
【図７】
2020522949.tif 000013
【図８】
2020522949.tif 000014
【図９】
2020522949.tif 000015
【図１０】
2020522949.tif 000016
【図１１】
2020522949.tif 000017
【図１２】
2020522949.tif 000018
【国際調査報告】
2020522949.tif 000019
2020522949.tif 000020
2020522949.tif 000021